【手続補正書】
【提出日】令和1年9月13日(2019.9.13)
【手続補正１】
【補正対象書類名】明細書
【補正対象項目名】０００１
【補正方法】変更
【補正の内容】
【０００１】
連続用紙ごとに、当該連続用紙の第１の面と第２の面の印刷状況を容易に確認可能な情報処理装置、その制御方法、及びプログラム、並びに、情報処理システム、その制御方法、及びプログラムに関する。
【手続補正２】
【補正対象書類名】明細書
【補正対象項目名】０００７
【補正方法】変更
【補正の内容】
【０００７】
そこで本発明は、連続用紙ごとに、当該連続用紙の第１の面と第２の面の印刷状況を容易に確認可能な仕組みを提供することを目的とする。
【手続補正３】
【補正対象書類名】明細書
【補正対象項目名】０００８
【補正方法】変更
【補正の内容】
【０００８】
本発明の情報処理装置は、印刷データを印刷可能なプリンタと通信可能な情報処理装置であって、複数のページが連続した複数の連続用紙に印刷する印刷データを前記連続用紙ごとに区分けして印刷する区分け情報を設定する設定手段と、前記設定手段で設定された前記区分け情報に基づいて区分けされた範囲ごとに、前記連続用紙の第１の面、及び前記第１の面の裏面である第２の面を、前記プリンタで片面ずつ印刷されるよう制御する印刷制御手段と、前記印刷制御手段で印刷される前記第１の面、及び前記第２の面が前記範囲ごとに印刷済みかを識別可能に表示制御する表示制御手段と、を備えることを特徴とする。
また、本発明の情報処理装置の制御方法は、印刷データを印刷可能なプリンタと通信可能な情報処理装置の制御方法であって、前記情報処理装置が、複数のページが連続した複数の連続用紙に印刷する印刷データを前記連続用紙ごとに区分けして印刷する区分け情報を設定する設定ステップと、前記設定ステップで設定された前記区分け情報に基づいて区分けされた範囲ごとに、前記連続用紙の第１の面、及び前記第１の面の裏面である第２の面を、前記プリンタで片面ずつ印刷されるよう制御する印刷制御ステップと、前記印刷制御ステップで印刷される前記第１の面、及び前記第２の面が前記範囲ごとに印刷済みかを識別可能に表示制御する表示制御ステップと、を含むことを特徴とする。
また、本発明の情報処理システムは、印刷データを印刷可能なプリンタと当該プリンタと通信可能な情報処理装置とを含む情報処理システムであって、複数のページが連続した複数の連続用紙に印刷する印刷データを前記連続用紙ごとに区分けして印刷する区分け情報を設定する設定手段と、前記設定手段で設定された前記区分け情報に基づいて区分けされた範囲ごとに、前記連続用紙の第１の面、及び前記第１の面の裏面である第２の面を、前記プリンタで片面ずつ印刷されるよう制御する印刷制御手段と、前記印刷制御手段で印刷される前記第１の面、及び前記第２の面が前記範囲ごとに印刷済みかを識別可能に表示制御する表示制御手段と、を備えることを特徴とする。
また、本発明の情報処理システムの制御方法は、印刷データを印刷可能なプリンタと当該プリンタと通信可能な情報処理装置とを含む情報処理システムの制御方法であって、前記情報処理システムが、複数のページが連続した複数の連続用紙に印刷する印刷データを前記連続用紙ごとに区分けして印刷する区分け情報を設定する設定ステップと、前記設定ステップで設定された前記区分け情報に基づいて区分けされた範囲ごとに、前記連続用紙の第１の面、及び前記第１の面の裏面である第２の面を、前記プリンタで片面ずつ印刷されるよう制御する印刷制御ステップと、前記印刷制御ステップで印刷される前記第１の面、及び前記第２の面が前記範囲ごとに印刷済みかを識別可能に表示制御する表示制御ステップと、を含むことを特徴とする。
また、本発明のプログラムは、コンピュータを、上記に記載の情報処理装置または情報処理システムとして機能させるためのプログラムであることを特徴とする。
【手続補正４】
【補正対象書類名】明細書
【補正対象項目名】０００９
【補正方法】変更
【補正の内容】
【０００９】
本発明によれば、連続用紙ごとに、当該連続用紙の第１の面と第２の面の印刷状況を容易に確認可能な仕組みを提供することが可能となる。
【手続補正５】
【補正対象書類名】特許請求の範囲
【補正対象項目名】全文
【補正方法】変更
【補正の内容】
【特許請求の範囲】
【請求項１】
印刷データを印刷可能なプリンタと通信可能な情報処理装置であって、
複数のページが連続した複数の連続用紙に印刷する印刷データを前記連続用紙ごとに区分けして印刷する区分け情報を設定する設定手段と、
前記設定手段で設定された前記区分け情報に基づいて区分けされた範囲ごとに、前記連続用紙の第１の面、及び前記第１の面の裏面である第２の面を、前記プリンタで片面ずつ印刷されるよう制御する印刷制御手段と、
前記印刷制御手段で印刷される前記第１の面、及び前記第２の面が前記範囲ごとに印刷済みかを識別可能に表示制御する表示制御手段と、
を備えることを特徴とする情報処理装置。
【請求項２】
前記設定手段で設定された前記区分け情報に基づいて区分けされた範囲ごとに、前記第１の面または前記第２の面を印刷する印刷指示を受け付ける指示受付手段と、を備え、
前記印刷制御手段は、前記指示受付手段で印刷指示を受け付けた前記第１の面または前記第２の面のいずれかが前記プリンタで片面ずつ印刷されるよう印刷制御することを特徴とする請求項１に記載の情報処理装置。
【請求項３】
前記印刷制御手段は、前記指示受付手段で前記印刷指示を受け付けた前記第１の面または前記第２の面の前記範囲が印刷済みであった場合は、当該第１の面または第２の面の前記範囲は印刷しないよう制御することを特徴とする請求項２に記載の情報処理装置。
【請求項４】
前記表示制御手段は、前記指示受付手段で前記印刷指示を受け付けた前記第１の面または前記第２の面の前記範囲が印刷済みであった場合は、印刷済みであることを通知可能な画面を表示制御することを特徴とする請求項２または３に記載の情報処理装置。
【請求項５】
前記印刷制御手段は、前記指示受付手段で前記第１の面の範囲の印刷指示を受け付けた場合には、前記設定手段で設定された前記区分け情報に基づいて区分けされた範囲のうちいずれの範囲の第１の面であるかを示す識別情報も前記連続用紙に印刷されるよう制御することを特徴とする請求項２乃至４のいずれか１項に記載の情報処理装置。
【請求項６】
前記情報処理装置は、前記印刷制御手段で印刷された前記識別情報を読み取り可能な読取部と通信可能な情報処理装置であって、
前記印刷制御手段は、前記読取部が所定の識別情報を読み取った場合に前記第２の面の範囲が印刷されるよう制御すること
を特徴とする請求項５に記載の情報処理装置。
【請求項７】
印刷データを印刷可能なプリンタと通信可能な情報処理装置の制御方法であって、
前記情報処理装置が、
複数のページが連続した複数の連続用紙に印刷する印刷データを前記連続用紙ごとに区分けして印刷する区分け情報を設定する設定ステップと、
前記設定ステップで設定された前記区分け情報に基づいて区分けされた範囲ごとに、前記連続用紙の第１の面、及び前記第１の面の裏面である第２の面を、前記プリンタで片面ずつ印刷されるよう制御する印刷制御ステップと、
前記印刷制御ステップで印刷される前記第１の面、及び前記第２の面が前記範囲ごとに印刷済みかを識別可能に表示制御する表示制御ステップと、
を含むことを特徴とする情報処理装置の制御方法。
【請求項８】
コンピュータを、請求項１乃至６のいずれか１項に記載の情報処理装置として機能させるためのプログラム。
【請求項９】
印刷データを印刷可能なプリンタと当該プリンタと通信可能な情報処理装置とを含む情報処理システムであって、
複数のページが連続した複数の連続用紙に印刷する印刷データを前記連続用紙ごとに区分けして印刷する区分け情報を設定する設定手段と、
前記設定手段で設定された前記区分け情報に基づいて区分けされた範囲ごとに、前記連続用紙の第１の面、及び前記第１の面の裏面である第２の面を、前記プリンタで片面ずつ印刷されるよう制御する印刷制御手段と、
前記印刷制御手段で印刷される前記第１の面、及び前記第２の面が前記範囲ごとに印刷済みかを識別可能に表示制御する表示制御手段と、
を備えることを特徴とする情報処理システム。
【請求項１０】
印刷データを印刷可能なプリンタと当該プリンタと通信可能な情報処理装置とを含む情報処理システムの制御方法であって、
前記情報処理システムが、
複数のページが連続した複数の連続用紙に印刷する印刷データを前記連続用紙ごとに区分けして印刷する区分け情報を設定する設定ステップと、
前記設定ステップで設定された前記区分け情報に基づいて区分けされた範囲ごとに、前記連続用紙の第１の面、及び前記第１の面の裏面である第２の面を、前記プリンタで片面ずつ印刷されるよう制御する印刷制御ステップと、
前記印刷制御ステップで印刷される前記第１の面、及び前記第２の面が前記範囲ごとに印刷済みかを識別可能に表示制御する表示制御ステップと、
を含むことを特徴とする情報処理システムの制御方法。
【請求項１１】
コンピュータを、請求項９に記載の情報処理システムとして機能させるためのプログラム。